(57)【要約】【課題】外部装置との接続方式によらず、マルチチャンネル音声信号のうちの所望のチャンネルの音声信号の再生を、簡易な構成で実現することが可能な音声再生装置を提供する。【解決手段】ＴＶ装置２内の選択部２２１において、入力されたマルチチャンネル音声信号Ａ３ｍのうち、一部のチャンネルの音声信号（センター音声信号）を選択して出力する。また、この選択出力されたセンター音声信号Ａ４Ｃに基づいて、ＴＶ装置２内で音声の再生を行う。これにより、ＨＤＭＩ接続方式以外の他の接続方式を用いた場合においても、簡易な構成により、所望のチャンネルの音声信号の再生を行うことができる。【選択図】図１
2010245771.tif 000002
【特許請求の範囲】
【請求項１】
入力されたマルチチャンネル音声信号のうち、一部のチャンネルの音声信号を選択して出力する選択部と、
前記選択部から出力された一部のチャンネルの音声信号に基づいて、音声の再生を行う再生部と
を備えた音声再生装置。
【請求項２】
前記選択部は、前記マルチチャンネル音声信号のうち、センター音声信号を選択して出力する
請求項１に記載の音声再生装置。
【請求項３】
前記選択部は、前記マルチチャンネル音声信号のうち、右用フロント（フロントＲ）音声信号と左用フロント（フロントＬ）音声信号とを選択して出力する
請求項１に記載の音声再生装置。
【請求項４】
前記マルチチャンネル音声信号に対してダウンミックス処理を行うダウンミックス部と、
前記ダウンミックス部から出力された音声信号を外部へ出力するための出力端子と
をさらに備えた
請求項１ないし請求項３のいずれか１項に記載の音声再生装置。
【請求項５】
前記マルチチャンネル音声信号が、前記一部のチャンネルの音声信号以外のチャンネルに対応する音声信号を再生する他の音声再生装置から入力されたものである
請求項１ないし請求項３のいずれか１項に記載の音声再生装置。
【請求項６】
入力されたマルチチャンネル音声信号のうち、一部のチャンネルの音声信号を選択して出力する選択部と、
前記選択部から出力された一部のチャンネルの音声信号に基づいて、音声の再生を行う再生部と、
入力された映像信号に基づいて映像表示を行う表示部と
を備えた映像音声再生装置。
【請求項７】
デジタル放送信号を取得するチューナーと、
取得されたデジタル放送信号に基づいて、前記マルチチャンネル音声信号および前記映像信号を生成するデコード部と
をさらに備えた
請求項６に記載の映像音声再生装置。
【請求項８】
前記再生部が、左右のステレオ信号を個別に再生する２つのスピーカーにより構成されている
請求項６または請求項７に記載の映像音声再生装置。
【発明の詳細な説明】
【技術分野】
【０００１】
本発明は、入力された音声信号に対して所定の音声信号処理を施して再生する音声再生装置、およびそのような音声信号の再生と共に映像信号の再生（表示）を行う映像音声再生装置に関する。
【背景技術】
【０００２】
ＡＶ（Audio Visual）アンプを使用した一般のマルチスピーカーシステムでは、ＨＤＭＩ接続（High-Definition Multimedia Interface）および５.１ｃｈ（チャンネル）のシステムを例に挙げると、以下のような構成および動作となる。すなわち、信号源から入力されたマルチチャンネル音声信号に基づき、ＡＶアンプおよびその出力側に接続されたスピーカーにおいて、５.１ｃｈにおける各チャンネル（Front Ｌ，Front Ｒ，Rear Ｌ，Rear Ｒ，Center，Woofer）の音声が再生される。一方、ＡＶアンプに接続されたＴＶ（TeleVision）装置側では、映像の表示のみが行われ、ＴＶ装置のスピーカーからは音声が出力されない。
【０００３】
このようなマルチスピーカーシステム（映像音声再生システム）では、センタースピーカーの設置場所が取れなくなってしまう場合等を想定して、ＴＶ装置のスピーカーをセンタースピーカーの代わりに使用するようにしたものがいくつか提案されている。この場合、センター（Center）音声信号以外のチャンネルの音声信号は、上記した通常のマルチスピーカーシステムと同様に、ＡＶアンプ側のスピーカーにおいて再生されるようになっている。したがって、この場合、ＡＶアンプ側のスピーカーでは、センター音声信号は再生されないことになる。
【０００４】
ところが、このようなシステム（センタースピーカーシステム）では、ＡＶアンプ側からセンター音声信号を入力するための専用端子（ピンジャック入力や、スピーカー端子入力）を、ＨＤＭＩ接続端子の他に別途、ＴＶ装置側に設ける必要がある。
【０００５】
そこで、特許文献１には、他の手法を用いたセンタースピーカーシステムが提案されている。
【先行技術文献】
【特許文献】
【０００６】
【特許文献１】特開２００７−８８７７４号公報
【発明の概要】
【発明が解決しようとする課題】
【０００７】
この特許文献１の手法では、ＡＶアンプ内のＤＳＰ（Digital Signal Processor）において、マルチチャンネル音声信号のうちのセンター音声信号を選択し、そのセンター音声信号のみをＨＤＭＩ伝送によって、ＴＶ装置側へ出力するようになっている。
【０００８】
しかしながら、この手法は、ＨＤＭＩ接続されたＴＶ装置を用いた場合にのみ、実現可能なシステムとなっている。すなわち、ＨＤＭＩ以外の他の接続方式を利用した場合には、やはりセンター音声信号用の専用端子が必要となってしまうという問題があった。
【０００９】
本発明はかかる問題点に鑑みてなされたもので、その目的は、外部装置との接続方式によらず、マルチチャンネル音声信号のうちの所望のチャンネルの音声信号の再生を、簡易な構成で実現することが可能な音声再生装置および映像音声再生装置を提供することにある。
【課題を解決するための手段】
【００１０】
本発明の音声再生装置は、入力されたマルチチャンネル音声信号のうち、一部のチャンネルの音声信号を選択して出力する選択部と、この選択部から出力された一部のチャンネルの音声信号に基づいて、音声の再生を行う再生部とを備えたものである。
を備えた
【００１１】
本発明の映像音声再生装置は、上記選択部と、上記再生部と、入力された映像信号に基づいて映像表示を行う表示部とを備えたものである。
【００１２】
本発明の音声再生装置および映像音声再生装置では、入力されたマルチチャンネル音声信号のうち、一部のチャンネルの音声信号が選択して出力され、この一部のチャンネルの音声信号に基づいて音声の再生が行われる。これにより、外部の他の音声再生装置（例えば、ＡＶアンプおよびマルチチャンネル対応の複数のスピーカー）において選択出力された一部のチャンネルの音声信号を入力して音声再生を行う従来の手法とは異なり、ＨＤＭＩ接続方式以外の他の接続方式を用いた場合においても、所望のチャンネルの音声信号の再生が可能となる。また、ＨＤＭＩ接続用の端子と所望のチャンネルの音声信号の伝送用の専用端子との両方を設ける必要がないため、簡易な構成で実現される。
【発明の効果】
【００１３】
本発明の音声再生装置および映像音声再生装置によれば、入力されたマルチチャンネル音声信号のうち、一部のチャンネルの音声信号を選択して出力すると共に、この一部のチャンネルの音声信号に基づいて音声の再生を行うようにしたので、ＨＤＭＩ接続方式以外の他の接続方式を用いた場合においても、簡易な構成により、所望のチャンネルの音声信号の再生を行うことができる。よって、外部装置との接続方式によらず、マルチチャンネル音声信号のうちの所望のチャンネルの音声信号の再生を、簡易な構成で実現することが可能となる。
【図面の簡単な説明】
【００１４】
【図１】本発明の一実施の形態に係る映像音声再生システムの全体構成を表すブロック図である。
【図２】比較例１に係る映像音声再生システムの全体構成を表すブロック図である。
【図３】比較例２に係る映像音声再生システムの全体構成を表すブロック図である。
【図４】比較例３に係る映像音声再生システムの全体構成を表すブロック図である。
【図５】本発明の変形例１に係る映像音声再生システムの全体構成を表すブロック図である。
【図６】本発明の変形例２に係る映像音声再生システムの全体構成を表すブロック図である。
【図７】本発明の変形例３に係る映像音声再生システムの全体構成を表すブロック図である。
【図８】本発明の変形例４に係る音声再生システムの全体構成を表すブロック図である。
【発明を実施するための形態】
【００１５】
以下、本発明の実施の形態について、図面を参照して詳細に説明する。なお、説明は以下の順序で行う。
１．実施の形態（マルチチャンネル信号のうちのセンター信号を選択して再生する例）
２．変形例
変形例１（マルチチャンネル信号を基に他の音声出力端子へも音声を出力する例）
変形例２（デジタル放送信号に基づくマルチチャンネル信号を利用する例）
変形例３（センター信号以外の他のチャンネルの信号を選択して再生する例）
変形例４（映像表示を行わない音声再生システムへの適用例）
【００１６】
＜１．実施の形態＞
［映像音声再生システムの全体構成例］
図１は、本発明の一実施の形態に係る映像音声再生システム３のブロック構成を表すものである。映像音声再生システム（マルチスピーカーシステム）３は、マルチチャンネル（ここでは、５．１ｃｈ）の音声信号を再生して出力すると共に、映像の表示（再生）を行うものである。この映像音声再生システム３はまた、後述するＴＶ装置２のスピーカー２４Ｒ，２４Ｌにおいて、マルチチャンネル音声信号のうちのセンター音声信号を再生するセンタースピーカーシステムとしても機能している。なお、５.１ｃｈの音声信号とは、フロントＬ（Front Ｌ；前方左用），フロントＲ（Front Ｒ；前方右用），リアＬ（Rear Ｌ；後方左用），リアＲ（Rear Ｒ；後方右用），センター（Center；中央），ウーファー（Woofer）の各チャンネル用の音声信号である。
【００１７】
映像音声再生システム３は、マルチ音声信号源１０と、ＡＶアンプ１１と、マルチチャンネル（５.１ｃｈ）に対応した６つのスピーカー１２Ｃ，１２ＦＲ，１２ＦＬ，１２ＲＲ，１２ＲＬ，１２Ｗと、ＴＶ装置２とを備えている。マルチ音声信号源１０ＡＶスピーカー１１との間、およびＡＶスピーカー１１とＴＶ装置２との間はそれぞれ、ＨＤＭＩ接続ラインによって互いに接続されている。すなわち、これらの間はそれぞれ、ＨＤＭＩ接続されている。
【００１８】
マルチ音声信号源１０は、マルチチャンネル音声信号の信号源であり、ＨＤＭＩ接続されたＡＶアンプ１１に対して、マルチチャンネル音声信号Ａ１ｍを供給するものである。
【００１９】
ＡＶアンプ１１は、マルチ音声信号源１０から入力されたマルチチャンネル音声信号Ａ１ｍのうち、センター音声信号以外の他のチャンネルの音声信号を増幅して各スピーカー１２ＦＲ，１２ＦＬ，１２ＲＲ，１２ＲＬ，１２Ｗへ出力するものである。このＡＶアンプ１１はまた、ＴＶ装置２に対して、マルチチャンネル音声信号Ａ２ｍをＨＤＭＩ伝送するようになっている。
【００２０】
スピーカー１２ＦＲは、ＡＶアンプ１１から出力される、増幅されたフロントＲ用の音声信号を再生するスピーカーである。スピーカー１２ＦＬは、ＡＶアンプ１１から出力される、増幅されたフロントＬ用の音声信号を再生するスピーカーである。スピーカー１２ＲＲは、ＡＶアンプ１１から出力される、増幅されたリアＲ用の音声信号を再生するスピーカーである。スピーカー１２ＲＬは、ＡＶアンプ１１から出力される、増幅されたリアＬ用の音声信号を再生するスピーカーである。スピーカー１２Ｗは、ＡＶアンプ１１から出力される、増幅されたウーファー用の音声信号を再生するスピーカーである。一方、スピーカー１２Ｃは、ＡＶアンプ１１から出力される、増幅されたセンター用の音声信号を再生するためのスピーカーであるが、本実施の形態のＡＶアンプ１１では、センター音声信号の再生が行われない（ミュートされている）。すなわち、本実施の形態のＡＶアンプ１１および各スピーカー１２ＦＲ，１２ＦＬ，１２ＲＲ，１２ＲＬ，１２Ｗでは、マルチチャンネル音声信号Ａ１ｍのうち、後述するＴＶ装置２において再生されるセンター音声信号以外のチャンネルに対応する音声信号を再生するようになっている。なお、ここでは、前述したＡＶアンプ１１およびスピーカー１２ＦＲ，１２ＦＬ，１２ＲＲ，１２ＲＬ，１２Ｗが、本発明における「他の音声再生装置」の一具体例に対応する。
【００２１】
（ＴＶ装置２）
ＴＶ装置２は、ＡＶアンプ２から伝送されるマルチチャンネル音声信号Ａ２ｍに基づいてセンター音声信号の再生を行うと共に、映像の表示を行うものである。このＴＶ装置２は、デコード部２１と、音声信号処理部２２と、アンプ２３と、左右の２つのスピーカー２４Ｒ，２４Ｌと、映像信号処理部２５と、表示部２６とを有している。なお、このＴＶ装置２が、本発明における「音声再生装置」および「映像音声再生装置」の一具体例に対応する。
【００２２】
デコード部２１は、マルチチャンネル音声信号Ａ２ｍに対して所定のデコード処理を行うことにより、マルチチャンネル音声信号Ａ３ｍを生成し、音声信号処理部２２へ出力するものである。このデコード部２１は、受信部（レシーバ）２１１と、オーディオデコーダ２１２とを有している。受信部２１１は、マルチチャンネル音声信号Ａ２ｍを受信してオーディオデコーダ２１２へ出力するものである。オーディオデコーダ２１２は、受信部から出力されたマルチチャンネル音声信号に対して所定のオーディデコード処理を行うことにより、マルチチャンネル音声信号Ａ３ｍを生成するものである。
【００２３】
音声信号処理部２２は、デコード部２１から出力されたマルチチャンネル音声信号Ａ３ｍに対して所定の音声信号処理を行うことにより、左右のステレオ信号に対応する２種類の音声信号Ａ５Ｒ，Ａ５Ｌを生成し、それぞれアンプ２３へ出力するものである。この音声信号処理部２２は、選択部２２１と、信号処理部２２２とを有しており、例えばＤＳＰなどにより構成される。
【００２４】
選択部２２１は、オーディオデコーダ２１２から入力されたマルチチャンネル音声信号Ａ３ｍのうち、一部のチャンネルの音声信号を選択して信号処理部２２２へ出力するものである。具体的には、本実施の形態では、マルチチャンネル音声信号Ａ３ｍのうち、センター音声信号のみを選択し、センター音声信号Ａ４Ｃとして出力するようになっている。信号処理部２２２は、選択部２２１から出力されたセンター音声信号Ａ４Ｃに対して所定の音声信号処理を行うことにより、上記した音声信号Ａ５Ｒ，Ａ５Ｌを生成するものである。
【００２５】
アンプ２３は、音声信号処理部２２から出力された音声信号Ａ５Ｒ，Ａ５Ｌをそれぞれ増幅することにより、増幅した左右のステレオ信号をスピーカー２４Ｒ，２５Ｌへ供給するものである。
【００２６】
スピーカー２４Ｒは、音声信号Ａ５Ｒに基づく増幅された右用のステレオ信号を再生するものであり、スピーカー２４Ｌは、音声信号Ａ５Ｒに基づく増幅された右用のステレオ信号を再生するものである。なお、これらのスピーカー２４Ｒ，２４Ｌが、本発明における「再生部」および「２つのスピーカー」の一具体例に対応する。
【００２７】
映像信号処理部２５は、入力された映像信号Ｖinに対して所定の映像信号処理を行うものである。
【００２８】
表示部２６は、映像信号処理部２５から出力される映像信号処理後の映像信号に基づいて、映像の表示を行うものである。このような表示部２６としては、例えば、ＬＣＤ（Liquid Crystal Display）やＰＤＰ（Plasma Display Panel）、有機ＥＬ（Electro Luminescence）ディスプレイなどの各種のディスプレイを用いることができる。
【００２９】
［映像音声再生システムの作用・効果］
次に、本実施の形態の映像音声再生システム３の作用および効果について、比較例と比較しつつ詳細に説明する。図２〜図４は、比較例（比較例１〜３）に係る映像音声再生システム３Ａ〜３Ｃのブロック構成を表すものである。
【００３０】
（基本動作）
この映像音声再生システム３では、マルチ音声信号源１０からＡＶアンプ１１に対し、ＨＤＭＩ接続ラインＬＨ１を介してマルチチャンネル音声信号Ａ１ｍが供給され、ＡＶアンプ１１において増幅される。そして増幅された各チャンネルの音声信号は、センター音声信号を除き、各チャンネル用のスピーカー１２ＦＲ，１２ＦＬ，１２ＲＲ，１２ＲＬ，１２Ｗにおいて再生される。
【００３１】
また、ＡＶアンプ１１からＴＶ装置２内のデコード部２１に対し、ＨＤＭＩ接続ラインＬＨ２を介して、マルチチャンネル音声信号Ａ２ｍが伝送される。デコード部２１では、このマルチチャンネル音声信号Ａ２ｍに対して所定のデコード処理を行い、マルチチャンネル音声信号Ａ３ｍを生成する。音声信号処理部２２では、このマルチチャンネル音声信号Ａ３ｍに基づいて、左右のステレオ信号に対応する音声信号Ａ５Ｒ，Ａ５Ｌを生成する。そして、アンプ２３において、この音声信号Ａ５Ｒ，Ａ５Ｌがそれぞれ増幅され、増幅された信号が左右の２つのスピーカー２４Ｒ，２４Ｌにおいて再生される。また、これと共に、映像信号処理部２５では、入力された映像信号Ｖinに対して所定の映像信号処理を行い、この映像信号処理後の映像信号に基づく映像表示が、表示部２６においてなされる。
【００３２】
（比較例１〜３の作用）
ここで、図２に示した比較例１に係る映像音声再生システム１０３は、従来の通常のマルチスピーカーシステムに対応するものであり、本実施の形態のＴＶ装置２の代わりに、音声信号処理部１０２Ａを有するＴＶ装置１０２を備えている。この映像音声再生システム１０３では、本実施の形態とは異なり、ＡＶアンプ１１において、マルチチャンネル音声信号Ａ１ｍにおける全てのチャンネルの音声信号が再生される。そして、ＴＶ装置１０２では、表示部２６において映像の表示が行われる一方、スピーカー２４Ｒ，２４Ｌにおいては音声の再生が行われない（ミュートされている）。
【００３３】
すなわち、この映像音声再生システム１０３は、センタースピーカーシステムには対応していないため、ユーザーにとっては、センター用のスピーカー１２Ｃの設置場所が取れなくなってしまう場合が生じ得る。
【００３４】
一方、図３に示した比較例２に係る映像音声再生システム２０３は、センタースピーカーシステムに対応したマルチスピーカーシステムとなっている。具体的には、本実施の形態のＴＶ装置２の代わりに、音声信号処理部２０２Ａを有するＴＶ装置２０２を備えると共に、本実施の形態のＡＶアンプ１１の代わりにＡＶアンプ２０１を備えている。この映像音声再生システム２０３では、本実施の形態とは異なり、ＡＶアンプ２０１からＴＶ装置２０２内の音声信号処理部２０２Ａに対し、専用の接続ラインＬ２０２を介してセンター音声信号Ａ２Ｃが供給される。そして、このセンター音声信号Ａ２Ｃに基づく左右のステレオ信号が、ＴＶ装置２０２内のスピーカー２４Ｒ，２４Ｌにおいて再生される。したがって、この比較例２においても、本実施の形態と同様に、ＡＶアンプ２０１側のスピーカー１２Ｃでは、センター音声信号は再生されない。
【００３５】
ところが、この比較例２では、ＡＶアンプ２０１側からセンター音声信号を供給するための専用端子（接続ラインＡ２Ｃを接続するための端子）を、ＨＤＭＩ接続ラインＬＨ２用の端子の他に別途、ＡＶアンプ２０１およびＴＶ装置２０２に設ける必要が生じる。このため、この比較例の手法では、センタースピーカーシステム全体としての構成が複雑化してしまうことになる。
【００３６】
そこで、図４に示した比較例３に係る映像音声再生システム３０３では、以下のような構成のセンタースピーカーシステムとなっている。まず、この映像音声再生システム３０３は、本実施の形態のＡＶアンプ１１の代わりに、マルチチャンネル音声信号Ａ１ｍを受信する受信部３０１Ａと、ＤＳＰ３０１Ｂと、送信部３０１Ｃとを有するＡＶアンプ３０１を備えている。ＤＳＰ３０１Ｂでは、マルチチャンネル音声信号Ａ１ｍのうち、センター音声信号３０１Ｂを選択して送信部３０１Ｃへ出力する。送信部３０１Ｃでは、この選択されたセンター音声信号をセンター音声信号Ａ２Ｃとして、ＨＤＭＩ接続ラインＬＨ２を介して、本実施の形態のＴＶ装置２の代わりに設けられたＴＶ装置３０２へ出力する。そして、このＴＶ装置３０２では、センター音声信号Ａ２Ｃに基づく左右のステレオ信号が、ＴＶ装置３０２内のスピーカー２４Ｒ，２４Ｌにおいて再生される。したがって、上記比較例２とは異なり、ＡＶアンプ３０１側からＴＶ装置３０２側へセンター音声信号を供給する際に、ＨＤＭＩ接続ラインＬＨ２用の端子だけを使用すれば済むことになる。
【００３７】
しかしながら、この比較例３の手法は、ＨＤＭＩ接続されたＴＶ装置を用いた場合にのみ、実現可能なシステムとなっている。すなわち、ＨＤＭＩ以外の他の接続方式を利用した場合には、やはりセンター音声信号用の専用端子が必要となってしまうことになる。
【００３８】
（本実施の形態の作用）
これらに対して、本実施の形態の映像音声再生システム３では、ＴＶ装置２内の音声信号処理部２２において、デコード部２１から入力されたマルチチャンネル音声信号Ａ３ｍのうち、一部のチャンネルの音声信号を選択して出力する。具体的には、選択部２２１において、マルチチャンネル音声信号Ａ３ｍのうち、センター音声信号のみを選択し、センター音声信号Ａ４Ｃとして出力している。そして、このセンター音声信号Ａ４Ｃに基づく左右のステレオ信号が、ＴＶ装置２内のスピーカー２４Ｒ，２４Ｌにおいて再生される。
【００３９】
したがって、本実施の形態ではＡＶアンプ１１とＴＶ装置２との間はＨＤＭＩ接続方式となっているものの、上記比較例３の手法とは異なり、ＨＤＭＩ接続方式以外の他の接続方式を用いた場合においても、所望のチャンネルの音声信号の再生が可能となる。具体的には、本実施の形態では、マルチチャンネル音声信号のうちのセンター音声信号の再生がＴＶ装置２側で行われることにより、センタースピーカーシステムが実現される。また、上記比較例２とは異なり、ＨＤＭＩ接続用の端子と所望のチャンネルの音声信号（センター音声信号）の伝送用の専用端子との両方を設ける必要がないため、簡易な構成により、センタースピーカーシステムが実現される。
【００４０】
以上のように本実施の形態では、ＴＶ装置２内の選択部２２１において、入力されたマルチチャンネル音声信号Ａ３ｍのうち、一部のチャンネルの音声信号（センター音声信号）を選択して出力すると共に、この選択出力されたセンター音声信号Ａ４Ｃに基づいて、ＴＶ装置２内で音声の再生を行うようにしたので、ＨＤＭＩ接続方式以外の他の接続方式を用いた場合においても、簡易な構成により、所望のチャンネルの音声信号の再生を行うことができる。よって、外部装置との接続方式によらず、マルチチャンネル音声信号のうちの所望のチャンネルの音声信号の再生を、簡易な構成で実現することが可能となる。
【００４１】
また、ＴＶ装置２側の内部処理だけによってセンター音声信号を再生しているため、ＡＶアンプ１１内において、上記比較例３のようなＨＤＭＩ変換処理を行う必要もなくなる。
【００４２】
更に、センタースピーカーシステムが構築されるため、ＴＶ装置２のスピーカー２４Ｒ，２４Ｌをマルチチャンネル再生の際のセンタースピーカーとして使用することが可能となり、ＡＶアンプ１１側にセンタースピーカー１２Ｃを設けなくても済むようになる。
【００４３】
加えて、本実施の形態の手法では、ＴＶ装置２をセンタースピーカーとして使用するための余計な接続が不要であると共に、ＴＶ装置２内のＤＳＰ等の音声信号処理部２２内でセンター音声信号の選択処理を行っているため、そのための追加回路も不要である。
【００４４】
加えてまた、本実施の形態の手法によれば、ＴＶ装置２側の音声調整機能（例えば、信号処理部２２２内で実現される）を利用して、センター音声信号の単独調整（ボリューム調整や、音質調整など）を実現することが可能となる。
【００４５】
加えて更に、本実施の形態の手法では、接続先のＡＶアンプ１１側との双方向制御（ＨＤＭＩ接続の場合）を行わなくても済むことから、特別な機能は必要なく、ＡＶアンプを選択する際の自由度を向上させることも可能となる。
【００４６】
＜２．変形例＞
以下、本発明の変形例をいくつか挙げて説明する。なお、上記実施の形態における構成要素と同一のものには同一の符号を付し、適宜説明を省略する。
【００４７】
（変形例１）
図５は、本発明の変形例１に係る映像音声再生システム３Ａのブロック構成を表すものである。この映像音声再生システム３Ａは、上記実施の形態の映像音声再生システム３において、ＴＶ装置２の代わりにＴＶ装置２Ａを設けるようにしたものである。
【００４８】
ＴＶ装置２Ａは、ＴＶ装置２において、音声信号処理部２２の代わりに音声信号処理部２２Ａを有すると共に、左右の２つの音声信号出力端子２０Ｒ，２０Ｌをさらに有している。
【００４９】
音声信号処理部２２Ａは、音声信号処理部２２において、ダウンミックス部２２３および出力部２２４をさらに有している。ダウンミックス部２２３は、マルチチャンネル音声信号Ａ３ｍに対してダウンミックス処理を行うことにより、左右のステレオ信号に対応する２種類の音声信号を生成するものである。出力部２２４は、ダウンミックス処理部２２３において生成された２種類の音声信号をそれぞれ、左右のステレオ信号に対応する音声信号Ａ６Ｒ，Ａ６Ｌとして、音声信号出力端子２０Ｒ，２０Ｌを介して外部へ出力するものである。
【００５０】
音声信号出力端子２０Ｒ，２０Ｌは、出力部２２４から出力された音声信号Ａ６Ｒ，Ａ６Ｌをそれぞれ、外部へ出力するための出力端子である。なお、これらの音声信号出力端子２０Ｒ，２０Ｌが、本発明における「出力端子」の一具体例に対応する。
【００５１】
このようにして本変形例では、上記実施の形態で説明したのと同様に、ＴＶ装置２Ａ内のスピーカー２４Ｒ，２４Ｌにおいてセンター音声信号に基づく音声再生を行うことと同時に、例えばヘッドホンやラインアウトに対しては通常の音声信号（マルチチャンネル音声信号Ａ３ｍのダウンミックス信号）を出力することが可能となる。
【００５２】
（変形例２）
図６は、本発明の変形例２に係る映像音声再生システム３Ｂのブロック構成を表すものである。この映像音声再生システム３Ｂは、上記実施の形態の映像音声再生システム３において、ＴＶ装置２の代わりにＴＶ装置２Ｂを設けるようにしたものであり、デジタル放送受信時のマルチスピーカーシステム（センタースピーカーシステム）に対応している。
【００５３】
ＴＶ装置２Ｂは、ＴＶ装置２において、チューナー２７およびＭＰＥＧ（Moving Picture Experts Group）デコーダ２８をさらに有している。チューナー２７は、外部から、マルチチャンネルに対応したデジタル放送信号を取得するものである。ＭＰＥＧデコーダ２８は、チューナー２７から入力されたデジタル放送信号に対して所定のデコード処理（ＭＰＥＧ方式のデコード処理）を行うことにより、マルチチャンネル音声信号Ａ０ｍと、映像信号Ａ０（Ｖin）を生成するものである。生成されたマルチチャンネル音声信号Ａ０ｍはオーディオでコーダ２１２へ出力され、映像信号Ｖ０は映像信号処理部２５へ出力されるようになっている。なお、このＭＰＥＧデコーダ２８が、本発明における「デコード部」の一具体例に対応する。
【００５４】
また、本変形例では、デコード部２１内のオーディオデコーダ２１２において、ＭＰＥＧデコーダ２８から入力されたマルチチャンネル音声信号Ａ０ｍに基づいて、マルチチャンネル音声信号Ａ３ｍ，Ａ７ｍを出力している。具体的には、上記実施の形態と同様に、マルチチャンネル音声信号Ａ３ｍを選択部２２１へ出力する一方、マルチチャンネル音声信号Ａ７ｍを、接続ラインＬ３（光アウトなど）を介してＡＶアンプ１１へ出力している。なお、本変形例では上記実施の形態とは異なり、ＡＶアンプ１１とＴＶ装置２Ｂとの間は、ＨＤＭＩ接続がなされておらず、受信部２１１にはＡＶアンプ１１からマルチチャンネル音声信号が供給されないようになっている。
【００５５】
このようにして本変形例では、デジタル放送信号から得られるマルチチャンネル音声信号Ａ０ｍに基づいて、センター音声信号をＴＶ装置２Ｂ内のスピーカー２４Ｒ，２４Ｌにおいて再生することができると共に、センター音声信号以外の他のチャンネルの音声信号を、ＡＶアンプ１１側のスピーカー１２ＦＲ，１２ＦＬ，１２ＲＲ，１２ＲＬ，１２Ｗにおいて再生することができる。すなわち、上記実施の形態のようなＨＤＭＩ接続以外の他の接続方式においても、センタースピーカーシステムを構築することが可能となる。
【００５６】
（変形例３）
図７は、本発明の変形例３に係る映像音声再生システム３Ｃのブロック構成を表すものである。この映像音声再生システム３Ｃは、上記実施の形態の映像音声再生システム３において、ＴＶ装置２の代わりにＴＶ装置２Ｃを設けるようにしたものである。
【００５７】
ＴＶ装置２Ｃでは、音声信号処理部２２内の選択部２２１において、上記実施の形態とは異なり、マルチチャンネル音声信号Ａ３ｍのうち、フロントＲ用の音声信号（ＦＲ音声信号）と、フロントＬ用の音声信号（ＦＬ音声信号）とを選択して出力している。また、ＡＶアンプ１１では、上記実施の形態とは異なり、マルチチャンネル音声信号Ａ１ｍに基づいて、スピーカー１２Ｃからセンター音声信号が再生されると共に、スピーカー１２ＦＲ，１２ＦＬからはＦＲ音声信号およびＦＬ音声信号が再生されない。なお、ここでは、ＡＶアンプ１１およびスピーカー１２Ｃ，１２ＲＲ，１２ＲＬ，１２Ｗが、本発明における「他の音声再生装置」の一具体例に対応する。
【００５８】
このようにして本変形例では、ＡＶアンプ１１側のスピーカー１２ＦＲ，１２ＦＬが不要となると共に、ＴＶ装置２Ｃ内のスピーカー２４Ｒ，２４Ｌを、フロントＲ，フロントＬ用のスピーカーとして機能させることが可能となる。よって、ＡＶアンプ１１側のスピーカー１２ＦＲ，１２ＦＬの設置場所が確保できない場合等に有効なシステム構成となる。
【００５９】
なお、本変形例では、マルチチャンネル音声信号Ａ３ｍのうち、ＦＲ音声信号およびＦＬ音声信号を選択的に出力してＴＶ装置側で再生する場合について説明したが、他のチャンネルの音声信号を選択的に出力してＴＶ装置側で再生するようにしてもよい。
【００６０】
（変形例４）
図８は、本発明の変形例４に係る音声再生システム５のブロック構成を表すものである。この音声再生システム５は、上記実施の形態の映像音声再生システム３において、映像および音声を再生するＴＶ装置２の代わりに、音声のみを再生する音声再生装置４を設けるようにしたものである。
【００６１】
すなわち、この音声再生装置４は、ＴＶ装置２において、映像の再生（表示）に関する部分である、映像信号処理部２５および表示部２６を設けないようにしたものである。
【００６２】
このようにして、これまでの説明とは異なり、映像の表示を行わずに音声の再生のみを行う音声再生装置４を備えた音声再生システム５においても、本発明を適用することが可能である。
【００６３】
（その他の変形例）
以上、実施の形態および変形例を挙げて本発明を説明したが、本発明はこれらの実施の形態等に限定されず、種々の変形が可能である。
【００６４】
例えば、ＴＶ装置の入力ソースや選択状態に応じて、ＴＶ装置のスピーカーにおいて通常の音声（マルチ信号のダウンミックス信号）を再生出力するか、あるいはセンター音声信号を再生出力するかを、ユーザーによって選択したり、自動切換するようにしてもよい。具体的には、例えば、デジタル放送の映画においてマルチチャンネルの音声信号を利用しているときには、上記実施の形態等で説明したように、外部アンプを使用すると共に、ＴＶ装置側のスピーカーでは、センター音声信号のみを再生出力する。一方、例えば映画が終了して、ニュースにおける通常のステレオ放送や２重音声放送のときには、ＴＶ装置のスピーカーでは、通常の音声信号の再生出力を行う（外部アンプは使用しない）状態に切り換えるようにする。なお、上記した自動切替の手法としては、例えば、番組表情報（ＥＰＧ；Electronic Program Guide）を利用して自動的に切り替えるというという手法が考えられる。
【符号の説明】
【００６５】
１０…マルチ音声信号源、１１…ＡＶアンプ、１２Ｃ，１２ＦＲ，１２ＦＬ，１２ＲＲ，１２ＲＬ，１２Ｗ…スピーカー、２，２Ａ〜２Ｃ…ＴＶ装置、２０Ｒ，２０Ｌ…音声信号出力端子、２１…デコード部、２１１…受信部、２１２…オーディオデコーダ、２２，２２Ａ…音声信号処理部、２２１…選択部、２２２…信号処理部、２２３…ダウンミックス部、２２４…出力部、２３…アンプ、２４Ｒ，２４Ｌ…スピーカー、２５…映像信号処理部、２６…表示部、２７…チューナー、２８…ＭＰＥＧデコーダ、３，３Ａ〜３Ｃ…映像音声再生システム、Ａ０ｍ，Ａ１ｍ，Ａ２ｍ，Ａ３ｍ，Ａ７ｍ…マルチチャンネル音声信号、Ａ４Ｃ…センター音声信号、Ａ４ＦＲ…ＦＲ音声信号、Ａ４ＦＬ…ＦＬ音声信号、Ａ５Ｒ，Ａ５Ｌ，Ａ６Ｒ，Ａ６Ｌ…音声信号、Ｖin，Ｖ０…映像信号、ＬＨ１，ＬＨ２…ＨＤＭＩ接続ライン、Ｌ３…接続ライン。
【図１】
2010245771.tif 000003
【図２】
2010245771.tif 000004
【図３】
2010245771.tif 000005
【図４】
2010245771.tif 000006
【図５】
2010245771.tif 000007
【図６】
2010245771.tif 000008
【図７】
2010245771.tif 000009
【図８】
2010245771.tif 000010